(57)【要約】【課題】残量が少なくなったティッシュペーパーを１枚づつ容易に取り出すことができるティッシュペーパー用容器を提供すること。【解決手段】本発明では、内部に収容したティッシュペーパー(2)の残量が少なくなったときにティッシュペーパー(2)を底上げして取り出しやすくできるティッシュペーパー用容器(1)において、ティッシュペーパー(2)の底部に内底(3)を設け、この内底(3)を支持する支持体(4)の端部内側を上端面に取付け可能とするとともに、支持体(4)の端部外側を側壁(8)に接着し、この側壁(8)を切り離し可能とすることにした。また、前記側壁(8)に貫通孔(13)を形成し、その貫通孔(13)に前記支持体(4)の先端を露出させるとともに、前記貫通孔(13)と支持体(4)の先端との間に間隙(14)を形成することにした。【選択図】図１
2008213864.tif 000002
【特許請求の範囲】
【請求項１】
内部に収容したティッシュペーパーの残量が少なくなったときにティッシュペーパーを底上げして取り出しやすくできるティッシュペーパー用容器において、
ティッシュペーパーの底部に内底を設け、この内底を支持する支持体の端部内側を上端面に取付け可能とするとともに、支持体の端部外側を側壁に接着し、この側壁を切り離し可能としたことを特徴とするティッシュペーパー用容器。
【請求項２】
前記側壁に貫通孔を形成し、その貫通孔に前記支持体の先端を露出させるとともに、前記貫通孔と支持体の先端との間に間隙を形成したことを特徴とする請求項１に記載のティッシュペーパー用容器。
【発明の詳細な説明】
【技術分野】
【０００１】
本発明は、ティッシュペーパー用容器に関するものであり、特に、内部に収容したティッシュペーパーの残量が少なくなったときにティッシュペーパーを底上げして取り出しやすくできるティッシュペーパー用容器に関するものである。
【背景技術】
【０００２】
ティッシュペーパーは、紙製の箱型容器に収容され、容器の上端面に形成した開口から１枚づつ取り出すことができるようになっている。
【０００３】
ところが、容器の内部に収容したティッシュペーパーの残量が少なくなると、容器の上端面とティッシュペーパーの上端部との間に間隙が形成されてしまい、ティッシュペーパーの取出しが困難となる。
【０００４】
そのため、従来より、内部に収容したティッシュペーパーの残量が少なくなったときにティッシュペーパーを底上げして取り出しやすくできるティッシュペーパー用容器が考案されている。
【０００５】
たとえば、特許文献１に開示されているティッシュペーパー用容器では、ティッシュペーパーの底部中央にバネを収容し、バネの作用でティッシュペーパーを底上げする構成となっている。
【０００６】
また、特許文献２に開示されているティッシュペーパー用容器では、容器の底壁の中央部を変形してティッシュペーパーを底上げする構成となっている。
【０００７】
また、特許文献３に開示されているティッシュペーパー用容器では、ティッシュペーパの底部中央にベルトを設け、ベルトによってティッシュペーパーを底上げする構成となっている。
【０００８】
【特許文献１】特開平８−２１７１６５号公報
【特許文献２】特開２００４−１８９３０６号公報
【特許文献３】特開平１１−１７１２６６号公報
【発明の開示】
【発明が解決しようとする課題】
【０００９】
ところが、上記特許文献１に開示されているティッシュペーパー用容器では、ティッシュペーパーの残量が十分な状態でもバネが作用してしまい、常にティッシュペーパーが容器の上端内側面に押圧された状態となってしまい、かえって１枚づつティッシュペーパーを取り出すことが困難となるおそれがあった。
【００１０】
また、上記特許文献１〜３に開示されているティッシュペーパー用容器では、ティッシュペーパーの中央部だけが底上げされることになるために、容器の内部でティッシュペーパーが湾曲してしまい、これによっても、かえって１枚づつティッシュペーパーを取り出すことが困難となるおそれがあった。
【００１１】
また、上記特許文献３に開示されているティッシュペーパー用容器では、ティッシュペーパーを取り出す際に、ベルトに荷重が掛かり、ベルトが切断してしまうおそれがあった。
【課題を解決するための手段】
【００１２】
そこで、請求項１に係る本発明では、内部に収容したティッシュペーパーの残量が少なくなったときにティッシュペーパーを底上げして取り出しやすくできるティッシュペーパー用容器において、ティッシュペーパーの底部に内底を設け、この内底を支持する支持体の端部内側を上端面に取付け可能とするとともに、支持体の端部外側を側壁に接着し、この側壁を切り離し可能とすることにした。
【００１３】
また、請求項２に係る本発明では、前記請求項１に係る本発明において、前記側壁に貫通孔を形成し、その貫通孔に前記支持体の先端を露出させるとともに、前記貫通孔と支持体の先端との間に間隙を形成することにした。
【発明の効果】
【００１４】
そして、本発明では、以下に記載する効果を奏する。
【００１５】
すなわち、請求項１に係る本発明では、内部に収容したティッシュペーパーの残量が少なくなったときにティッシュペーパーを底上げして取り出しやすくできるティッシュペーパー用容器において、ティッシュペーパーの底部に内底を設け、この内底を支持する支持体の端部内側を上端面に取付け可能とするとともに、支持体の端部外側を側壁に接着し、この側壁を切り離し可能としているために、ティッシュペーパーの残量が十分なときには通常通りの使用ができ、ティッシュペーパーの残量が少なくなったときには、側壁とともに支持体を切り離し、支持体の端部を上端面に取り付けることによって、内底でティッシュペーパー全体を均一に底上げすることができ、内部でティッシュペーパーが変形することがなく、１枚づつティッシュペーパーを容易に取り出すことができる。
【００１６】
しかも、支持体の端部外側に切り離した側壁が接着されているために、支持体の端部の強度が確保され、ティッシュペーパーを取り出す際に支持体に荷重が掛かっても支持体が切断してしまうのを防止できる。
【００１７】
また、請求項２に係る本発明では、側壁に貫通孔を形成し、その貫通孔に支持体の先端を露出させるとともに、貫通孔と支持体の先端との間に間隙を形成しているために、貫通孔と支持体の先端との間の間隙からティッシュペーパーの残量を確認することができるとともに、貫通孔から露出する支持体の先端を引き出すだけで支持体とともに側壁を容易に切り離すことができ、使い勝手を向上させることができる。
【発明を実施するための最良の形態】
【００１８】
以下に、本発明に係るティッシュペーパー用容器の具体的な構成を図面を参照しながら説明する。
【００１９】
図１〜図４に示すように、ティッシュペーパー用容器（以下、「容器１」という。）は、公知の紙製の矩形箱型容器と外形は概ね同様の構成となっており、内部に収容したティッシュペーパー２の底部に折畳んだ状態のティッシュペーパー２と略同一サイズの矩形板状の内底３を収容し、この内底３の下端面に内底３を支持するための帯状の支持体４を取付けている。
【００２０】
この支持体４は、先端部分が内底３よりも張り出しており、容器１の内部で上方に向けて直角に折り曲げられ、端部内側に両面テープ５を貼着している。
【００２１】
容器１は、側部において上側片６と下側片７とが下側片７の上端部分を外側にして重ね合わせてあり、これら上側片６と下側片７とで側壁８を形成している。
【００２２】
そして、容器１は、側壁８を構成する下側片７の内側に支持体４の端部外側を接着するとともに、下側片７に支持体４の端部に沿って左右と下側にミシン目状の切り離し線9,10,11を形成して、この切り離し線9,10,11を切り離すことによって、側壁８の下側片７の中央部を支持体４とともに容器１から切り離すことができるようになっている。
【００２３】
また、容器１は、側壁８を構成する上側片６の中央下端部に支持体４の先端よりも広い幅の凹部12を形成することで、側壁８に貫通孔13を形成している。
【００２４】
そして、容器１は、内部の支持体４の先端を貫通孔13から露出させるとともに、貫通孔13と支持体４の先端との間に間隙14を形成している。
【００２５】
容器１は、以上に説明した構成となっており、図１〜図４に示すように、ティッシュペーパー２の残量が十分なときには通常通りの使用ができるようになっている。
【００２６】
しかも、容器１は、貫通孔13と支持体４の先端との間の間隙14からティッシュペーパー２の残量を確認することができるようになっている。
【００２７】
そして、ティッシュペーパー２の残量が少なくなったときには、貫通孔13から露出する支持体４の先端を外側に引き出すだけで支持体４とともに側壁８（下側片７の中央部）を容易に切り離すことができるようになっている。
【００２８】
その後、図５及び図６に示すように、容器１から切り離した支持体４の端部（下側片７が接着されている部分）を内側に直角に折り曲げ、支持体４の端部を両面テープ５を利用して容器１の上端面に接着すれば、支持体４によって内底３が持ち上げられ、ティッシュペーパー２を均一に底上げすることができ、これにより、ティッシュペーパー２の残量が少なくなった場合でもティッシュペーパー２を１枚づつ容易に取り出すことができるようになる。
【００２９】
以上に説明したように、上記構成の容器１では、ティッシュペーパー２の底部に内底３を設け、この内底３を支持する支持体４の端部内側を上端面に取付け可能とするとともに、支持体４の端部外側を側壁８に接着し、この側壁８を切り離し可能としているために、ティッシュペーパー２の残量が十分なときには通常通りの使用ができ、ティッシュペーパー２の残量が少なくなったときには、側壁８（下側片７の中央部）とともに支持体４を容器１から切り離し、支持体４の端部を容器１の上端面に取り付けることによって、内底３でティッシュペーパー２を全体的に均一に底上げすることができ、容器１の内部でティッシュペーパー２が変形することがなく、１枚づつティッシュペーパー２を容易に取り出すことができる。
【００３０】
しかも、上記構成の容器１では、支持体４の端部外側に切り離した側壁８（下側片７の中央部）が接着されているために、支持体４の端部の強度が確保され、ティッシュペーパー２を取り出す際に支持体４に荷重が掛かっても支持体４が切断してしまうのを防止できる。
【００３１】
また、上記構成の容器１では、側壁８に貫通孔13を形成し、その貫通孔13に支持体４の先端を露出させるとともに、貫通孔13と支持体４の先端との間に間隙14を形成しているために、貫通孔13と支持体４の先端との間の間隙14からティッシュペーパー２の残量を確認することができるとともに、貫通孔13から露出する支持体４の先端を引き出すだけで支持体４とともに側壁８（下側片７の中央部）を容易に切り離すことができ、容器１の使い勝手を向上させることができる。
【図面の簡単な説明】
【００３２】
【図１】ティッシュペーパー用容器を示す斜視図。
【図２】同正面断面図。
【図３】同平面断面図。
【図４】同側面断面図。
【図５】同使用状態を示す斜視図。
【図６】同正面断面図。
【符号の説明】
【００３３】
１  容器
２  ティッシュペーパー
３  内底
４  支持体
５  両面テープ
６  上側片
７  下側片
８  側壁
9,10,11  切り離し線
12  凹部
13  貫通孔
14  間隙
【図１】
2008213864.tif 000003
【図２】
2008213864.tif 000004
【図３】
2008213864.tif 000005
【図４】
2008213864.tif 000006
【図５】
2008213864.tif 000007
【図６】
2008213864.tif 000008